(57)【要約】【課題】  塗膜転写具において、転写中に転写部位を容易に視認することができ、所望の部分に、正確かつ容易に塗膜を転写することができるようにする。【解決手段】  前端が開口するケース内に、供給リールと巻取リールを配設し、前記開口より転写ヘッドを突設させ、前記供給リールに巻回した転写テープを繰出し、前記転写ヘッドの前端で反転させて前記巻取リールに巻取らせるようにした塗膜転写具において、前記転写ヘッド２の下面に、転写テープ６の見掛け上の幅を狭くするための溝部１２などのテープ幅狭小化手段１５を設けるとともに、前記テープ幅狭小化手段１５の左右に位置する少なくとも一方の転写ヘッド部分に、上方から下方を透視し得る透視手段（図２においては、転写ヘッド２を形成する板状体７を透明部材で形成してある）を設ける。【選択図】        図２
2005178082.tif 000002
【特許請求の範囲】
【請求項１】
前端が開口するケース内に、供給リールと巻取リールを配設し、前記開口より転写ヘッドを突設させ、前記供給リールに巻回した転写テープを繰出し、前記転写ヘッドの前端で反転させて前記巻取リールに巻取らせるようにした塗膜転写具において、前記転写ヘッドの下面に、転写テープの見掛け上の幅を狭くするためのテープ幅狭小化手段を設けるとともに、前記テープ幅狭小化手段の左右に位置する少なくとも一方の転写ヘッド部分に、上方から下方を透視し得る透視手段を設けたことを特徴とする塗膜転写具。
【請求項２】
前記転写ヘッドの上面にも下面とともに、前記テープ幅狭小化手段を設けたことを特徴とする請求項１記載の塗膜転写具。
【請求項３】
前記テープ幅狭小化手段を転写ヘッドの下面または上面に、溝部またはトンネル状貫通孔を設けることによって形成したことを特徴とする請求項１または２に記載の塗膜転写具。
【請求項４】
前記透視手段を、前記テープ狭小化手段の左右に位置する少なくとも一方の転写ヘッド部分を、透明化または切欠くことによって形成したことを特徴とする請求項１〜３のいずれかに記載の塗膜転写具。
【発明の詳細な説明】
【技術分野】
【０００１】
本発明は、手で把持して、紙面等を押圧しながら後方へ移動させることにより、供給リールから繰出される転写テープに塗着されている修正用または糊用の塗膜を、紙面等に転写する塗膜転写具に関する。
【背景技術】
【０００２】
塗膜転写具を使用する場合、塗膜が、紙面等における所望の部分に、正確に転写されることが重要である。
塗膜の転写は、供給リールに巻回した転写テープを転写ヘッドに繰出し、転写ヘッドの前端で、転写テープを紙面等に押圧することによってなされる。
転写ヘッドの前端近傍の左右には、転写テープを案内するガイドが設けられている。  
【０００３】
しかし、このガイドを初めとする転写ヘッドが視野を遮り、転写テープから転写される塗膜が、紙面等における所望の部分に、正確に転写されているか否かを確認することが困難であった。
前記確認を容易にするため、前記ガイドに開口部を設けた塗膜転写具（たとえば、特許文献１）が提案されている。
しかし、この提案による塗膜転写具においても、転写ヘッドが視野を遮り、必ずしも前記確認が容易ではなかった。
【０００４】
また、本願出願人は、前記ガイドに第１窓部を設けるとともに、転写ヘッドの左右辺縁のうち、前記ガイドが付設された部分の左右辺縁に第２窓部を設け、これら第１窓部と第２窓部の両者を通して、転写中に斜め上方から転写部位を視認し得るようにした発明を先に提案した（特許文献２）。
しかし、前記発明も、転写前における塗膜が未だ付着している不透明の転写テープにより視野が遮られるという問題に対しては、未解決であった。
【特許文献１】特開平１１−２６８４８７号（図２参照）
【特許文献２】特願２００２−２３０４５３号（図１〜図１１参照）
【発明の開示】
【発明が解決しようとする課題】
【０００５】
本発明は、前記の現状に鑑み、転写前の不透明の転写テープにより視野が遮られるという問題に対しても、積極的に解決を図り、転写中に転写部位を容易に視認することができ、紙面等における所望の部分に、正確かつ容易に塗膜を転写することができるようにした塗膜転写具を提供することを目的とする。
【課題を解決するための手段】
【０００６】
本発明によると上記課題は、次のようにして解決される。
(１)  前端が開口するケース内に、供給リールと巻取リールを配設し、前記開口より転写ヘッドを突設させ、前記供給リールに巻回した転写テープを繰出し、前記転写ヘッドの前端で反転させて前記巻取リールに巻取らせるようにした塗膜転写具において、前記転写ヘッドの下面に、転写テープの見掛け上の幅を狭くするためのテープ幅狭小化手段を設けるとともに、前記テープ幅狭小化手段の左右に位置する少なくとも一方の転写ヘッド部分に、上方から下方を透視し得る透視手段を設ける。
【０００７】
(２)  前記(１)項において、前記転写ヘッドの上面にも下面とともに、前記テープ幅狭小化手段を設ける。
【０００８】
(３)  前記(１)項または(２)項において、前記テープ幅狭小化手段を転写ヘッドの下面または上面に、溝部またはトンネル状貫通孔を設けることによって形成する。
【０００９】
(４)  前記(１)項〜(３)項のいずれかにおいて、前記透視手段を、前記テープ狭小化手段の左右に位置する少なくとも一方の転写ヘッド部分を、透明化または切欠くことによって形成する。
【発明の効果】
【００１０】
本発明によると、次のような効果が奏せられる。
ａ)  前記(１)項記載の発明によれば、テープ幅狭小化手段を設けたため、転写前の塗膜が未だ付着した不透明の転写テープの見掛け上の幅が狭小となるため、その狭小となった分だけ、転写テープの左右の視野が広がるとともに、前記テープ幅狭小化手段の左右に位置する少なくとも一方の転写ヘッド部分に、上方から下方を透視し得る透視手段が設けられているため、前記転写テープの左右の視野が広がった部分を通して、転写中に上方から転写部位を容易に視認することができ、紙面等における所望の部分に、正確かつ容易に塗膜を転写することができる。
【００１１】
ｂ)  前記(２)項記載の発明によれば、塗膜が転写されるとともに、転写ヘッドの前端で反転されて巻取リールに巻取られる、いわゆる戻りの転写テープによる視野の遮りが、テープ幅狭小化手段によって、可及的に小さくなるため、転写中における上方からの転写部位の視認が一層容易になり、所望の部分に、正確かつ容易に塗膜を転写することができる。
【００１２】
ｃ)  前記(３)項記載の発明によれば、テープ幅狭小化手段を容易に形成することができるとともに、溝部またはトンネル状貫通孔における凹状底部に、転写テープが当接して、軸線方向に対する直角断面において下向きまたは上向きの凹状に湾曲し、転写テープの見掛け上の幅が狭くなる。
【００１３】
ｄ)  前記(４)項記載の発明によれば、透視手段を容易に形成することができるとともに、テープ狭小化手段の左右に位置する少なくとも一方の転写ヘッド部分を、透明化または切欠くことによって、上方から、前記透明化または切欠き部位を通して、転写部位を容易に視認することができる。
【発明を実施するための最良の形態】
【００１４】
以下、本発明を添付図面に基づいて詳細に説明する。
【実施例】
【００１５】
図１は、本発明の一実施例である塗膜転写具(１)の上方斜視図である。
図２は、図１に示す塗膜転写具(１)における転写ヘッド(２)の部分拡大下方斜視図、図３は、同じく、転写ヘッド(２)の底面図、図４は、図３におけるIV〜IV線縦断面図である。
【００１６】
塗膜転写具(１)は、前端(3a)が開口するケース(３)内に、供給リール(４)と巻取リール(５)を配設し、前記開口(3b)より転写ヘッド(２)を突設させ、前記供給リール(４)に巻回した転写テープ(６)を繰出し、前記転写ヘッド(２)の前端(2a)で反転させて、前記巻取リール(５)に巻取らせるようにしてある。
【００１７】
転写ヘッド(２)は、前後方向に長い板状体(７)の後部左右に、ケース(３)へ取付けるための円筒状取付部(８)と縦溝状取付部(９)を備え、前記板状体(７)の前端(2a)近傍の左右には、転写テープ(６)を案内する、側面視において前向２等辺三角形状のガイド(10)(10)が付設されている。前記板状体(７)の下面には、前後方向に長い２枚の長方形状板片(11)(11)が平行に配置されて垂設され、両者間に下向きに開口する溝部(12)が形成されている。
【００１８】
前記溝部(12)は、図３に示すように、その溝幅ｄを前記転写テープ(６)の幅寸Ｄのほぼ１／５〜１／２とするとともに、前記板状体(７)の前後端をそれぞれほぼ１／４程度残して、板状体(７)の中央に前後方向に設けられている。前記転写ヘッド(２)は、図１に示すように、前記円筒状取付部(８)と縦溝状取付部(９)とを、ケース(３)の内面上に立設されたピン(13)(14)に、それぞれ嵌合させることによって、転写ヘッド(２)の前部を、前端開口(3b)から突出させた状態でケース(３)に取付けられている。ケース(３)を手で把持して、転写ヘッド(２)の前端(2a)を、紙面等に押圧しながら後方へ移動させることにより、供給リール(４)から繰り出される転写テープ(６)は、図２，図３に示すように、転写ヘッド(２)の前記溝部(12)の入口(12a)に至り、この溝部(12)の溝幅ｄが、転写テープ(６)の幅寸Ｄのほぼ１／５〜１／２に形成されているため、転写テープ(６)は、下向き凹状に湾曲された状態で、前記溝部(12)内を走行し、この溝部(12)の出口(12b)において再び幅が拡がり、転写ヘッド(２)の前端(2a)においては、転写テープ(６)が本来有する幅寸Ｄとなり、紙面等に塗膜が転写されるようになっている。
【００１９】
このように、前記溝部(12)は、転写テープ(６)を凹状に湾曲化させて、転写テープ(６)の見掛け上の幅を狭くするためのテープ幅狭小化手段(15)として機能している。
なお、本実施形態においては、溝部(12)を、２枚の長方形状板片(11)(11)によって形成したが、本発明における溝部を形成するその他の方法としては、たとえば板状体(７)として比較的厚さのあるものを用いて、この板状体に溝部を穿設する方法、あるいは、板状体(７)に、溝幅となる寸法だけ間隔を設けて、複数のピンを立設する方法などが挙げられる。
【００２０】
また、転写ヘッド(２)を構成する前記板状体(７)は、透明部材で形成されている。そのためテープ幅狭小化手段(15)である溝部(12)の左右に位置する板状体部分(7a)(7a)によって、上方から下方を透視し得るようになっている。
【００２１】
したがって、転写中において、使用者は、下向き凹状に湾曲されて見掛け上、幅寸が狭小化された転写テープ(６)の左右の前記透視し得る部分を通して、上方から転写部位を容易に視認することができる。
【００２２】
なお、塗膜が転写された後に、転写ヘッド(２)の前端(2a)で反転されて巻取リール(５)に巻取られる、いわゆる戻りの転写テープ(16)は、不透明な塗膜が剥離されているため、通常は、透明乃至半透明のテープ基材だけとなっており、上方から転写部位を視認するうえで、視野を遮ることは少ない。
【００２３】
図５は、本発明における転写ヘッド(17)の他の実施形態を示す下方斜視図であり、図２に相当する図である。
【００２４】
図６は、図５におけるVI〜VI線縦断面図である。
転写ヘッド(17)における板状体(18)の下面に、前後方向のトンネル状貫通孔(19)が設けられている。前記トンネル状貫通孔(19)は、実施例１における溝部(12)と同様に、転写テープ(20)を下向き凹状に湾曲させ、転写テープ(20)の見掛け上の幅を狭くするテープ幅狭小化手段(15)として機能している。
【００２５】
図７〜図９は、本発明における転写ヘッドの更に他の実施形態を示す縦断面図であり、図４に相当する図である。
【００２６】
図７に示す実施形態では、転写ヘッド(21)を形成する板状体(22)の上下面の両者に、溝部(23)(24)が設けられている。
【００２７】
図８に示す実施形態では、転写ヘッド(25)を形成する板状体(26)の上下面の両者に、トンネル状貫通孔(27)が設けられている。
【００２８】
図９に示す実施形態では、転写ヘッド(28)を形成する板状体(29)の下面にトンネル状貫通孔(30)、上面に溝部(31)が、それぞれ設けられている。
【００２９】
図７〜図９に示す実施形態においては、塗膜を転写後に巻取リール(５)に巻取られるテープ基材のみよりなる戻りの転写テープ(32)が、不透明乃至半透明の場合においても、前記転写テープ(32)の見掛け上の幅寸を狭小化することにより、上方からの転写部位の視認を容易にすることができる。
【００３０】
なお、図５〜図９に示す実施形態における板状体も、透明部材で形成されている。
【００３１】
図１０は、本発明における転写ヘッド(33)の更に他の実施形態を示す底面図である。図１１〜図１３は、図１０におけるそれぞれXI〜XI線、XII〜XII線、XIII〜XIII線の縦断面図である。
【００３２】
本実施形態においては、転写ヘッド(33)を形成する板状体(34)の下面に、弧状に湾曲する２枚の案内溝板(35)(35)を対向させて、溝部(36)を形成し、前記案内溝板(35)(35)の左右外方に位置する板状体部分(34a)(34a)が切欠かれて切欠部(37)(37)が形成されている。
【００３３】
すなわち、図１〜図８に示す実施形態においては、転写ヘッドの上方から下方を透視し得るようにするための手段として、転写ヘッドを透明部材で形成したが、本実施形態においては、前記溝部(36)を形成する案内溝板(35)(35)の左右外方に位置する板状体部分(34a)(34a)に切欠部(37)(37)を設けることにより、透視手段を形成してある。
なお、前記溝部(36)は、転写テープ(38)の塗膜が、案内溝板(35)の内面に当接摺動して損傷することを防止するため、左右中央からやや偏位した位置に設けてある。
【００３４】
また、図１０〜図１３に示すように、転写テープ(38)が溝部(36)の入口(36a)から出口(36b)に向かって走行するにしたがって、漸次、水平から縦方向になり、次いで再び水平方向に近づき、転写ヘッド(33)の前端(33a)において、完全に水平になるように転写テープ(38)を案内するため、前記板状体(34)の下面および前記案内溝板(35)の内面に、案内傾斜面(39)を設けてある。
【００３５】
なお、本実施形態においては、図１３に示す状態において、転写テープ(38)が、平面状態のままで、ある程度の角度をもって傾斜する場合を示したが、他の実施形態として、転写テープ(38)が、図１〜図９に示したように、湾曲するような形態であってもよい。
【図面の簡単な説明】
【００３６】
【図１】本発明の一実施例である塗膜転写具の上方斜視図である。
【図２】図１に示す塗膜転写具における転写ヘッドの部分拡大下方斜視図である。
【図３】同じく、転写ヘッドの底面図である。
【図４】図３におけるIV〜IV線縦断面図である。
【図５】本発明における転写ヘッドの他の実施形態を示す下方斜視図であり、図２に相当する図である。
【図６】図５におけるVI〜VI線縦断面図である。
【図７】本発明における転写ヘッドの更に他の実施形態を示す縦断面図である。
【図８】同じく、本発明における転写ヘッドの更に他の実施形態を示す縦断面図である。
【図９】同じく、本発明における転写ヘッドの更に他の実施形態を示す縦断面図である。
【図１０】本発明における転写ヘッドの更に他の実施形態を示す底面図である。
【図１１】図１０におけるXI〜XI線の縦断面図である。
【図１２】図１０におけるXII〜XII線の縦断面図である。
【図１３】図１０におけるXIII〜XIII線の縦断面図である。
【符号の説明】
【００３７】
(１)塗膜転写具
(２)転写ヘッド
(2a)前端
(３)ケース
(3a)前端
(3b)開口
(４)供給リール
(５)巻取リール
(６)転写テープ
(７)板状体
(7a)板状体部分
(８)円筒状取付部
(９)縦溝状取付部
(10)ガイド
(11)長方形状板片
(12)溝部
(12a)入口
(12b)出口
(13)(14)ピン
(15)テープ幅狭小化手段
(16)戻りの転写テープ
(17)転写ヘッド
(18)板状体
(19)トンネル状貫通孔
(20)転写テープ
(21)転写ヘッド
(22)板状体
(23)(24)溝部
(25)転写ヘッド
(26)板状体
(27)トンネル状貫通孔
(28)転写ヘッド
(29)板状体
(30)トンネル状貫通孔
(31)溝部
(32)転写テープ
(33)転写ヘッド
(33a)前端
(34)板状体
(34a)板状体部分
(35)案内溝板
(36)溝部
(36a)入口
(36b)出口
(37)切欠部
(38)転写テープ
(39)案内傾斜面
【図１】
2005178082.tif 000003
【図２】
2005178082.tif 000004
【図３】
2005178082.tif 000005
【図４】
2005178082.tif 000006
【図５】
2005178082.tif 000007
【図６】
2005178082.tif 000008
【図７】
2005178082.tif 000009
【図８】
2005178082.tif 000010
【図９】
2005178082.tif 000011
【図１０】
2005178082.tif 000012
【図１１】
2005178082.tif 000013
【図１２】
2005178082.tif 000014
【図１３】
2005178082.tif 000015